(57)【要約】【課題】利便性または信頼性または組立性の高い脚ゴムの取付構造または脚部材または支持フレームまたは浴槽台を提供する。【解決手段】浴室内で利用するための装置１０の脚ゴム１２１の取付構造が提供される。脚パイプ１１３の下部の内面に被締結部位１１３Ｙが形成される。被締結部位１１３Ｙに締結部材１２３を締結することによって脚ゴム１２１を脚パイプ１１３に取り付ける。【選択図】図４
2019058300.tif 000002
【特許請求の範囲】
【請求項１】
浴室内で利用するための装置の脚ゴムの取付構造であって、
脚パイプの下部の内面に被締結部位を形成し、
前記被締結部位に締結部材を締結して前記脚ゴムを前記脚パイプに取り付ける、脚ゴムの取付構造。
【請求項２】
前記被締結部位はネジ溝であり、
前記締結部材は前記溝に螺合するボルトである、請求項１に記載の脚ゴムの取付構造。
【請求項３】
前記脚ゴムには、前記脚ゴムよりも硬く、中央部に穴が形成される部材が取り付けられ、
前記ボルトは前記穴を挿通して、前記部材を前記脚パイプに押し付ける、請求項２に記載の脚ゴムの取付構造。
【請求項４】
前記脚パイプは、内側のパイプと外側のパイプとを含み、
前記内側のパイプの下部の内周面に前記ネジ溝が形成される、請求項２または３に記載の脚ゴムの取付構造。
【請求項５】
請求項１から４のいずれか１項に記載の脚ゴムの取付構造を有する高さ調整可能な脚部材であって、
前記脚パイプを摺動可能に内包する内側パイプと、
前記内側パイプを支持する外側パイプとを備える、脚部材。
【請求項６】
請求項５に記載の複数の脚部材と、
前記複数の脚部材の前記外側パイプの上部を互いに連結するための複数の連結フレームとを備える支持フレーム。
【請求項７】
前記連結フレームは溶接によって前記外側パイプに固設され、
前記脚パイプの上端部は、前記内側パイプの内部を前記溶接個所よりも上方まで摺動可能に構成される、請求項６に記載の支持フレーム。
【請求項８】
請求項６または７に記載の支持フレームと、
前記支持フレームに支持される台部と、を備える浴槽台。
【発明の詳細な説明】
【技術分野】
【０００１】
本発明は、浴室で使用される台、椅子、棚などの各種用具の脚部の技術に関する。
【背景技術】
【０００２】
浴室内で利用される浴槽台やシャワーチェアーなどが知られている。そしてたとえば、特開２０１６−５２３７３号公報（特許文献１）には、脚ゴム取付構造が開示されている。特許文献１によると、筒状をなす支持脚の下端に脚ゴムを取り付ける脚ゴム取付構造であって、脚ゴムは、盤状部と、盤状部の上面に立設された挿入部とからなり、挿入部を支持脚の下端部に内嵌したうえで、支持脚の下端部及び該挿入部に設けられた嵌着手段の係止突起によって支持脚の下端に嵌着されるように構成されたものであるとともに、脚ゴムは、板状体と板状体上に立設された筒状体とで構成されたプラスチック製（但し、ゴム弾性を有するものを除く）の成形体を用い、成形体のうち板状体を芯材としてゴム弾性を有する材料からなる盤状部を形成し成形体のうち盤状部が形成された部位を除く他の部位を挿入部とする。
【先行技術文献】
【特許文献】
【０００３】
【特許文献１】特開２０１６−５２３７３号公報
【発明の概要】
【発明が解決しようとする課題】
【０００４】
本発明の目的は、利便性または信頼性または組立性の高い脚ゴムの取付構造または脚部材または支持フレームまたは浴槽台を提供することにある。
【課題を解決するための手段】
【０００５】
本発明のある局面に従うと、浴室内で利用するための装置の脚ゴムの取付構造が提供される。脚パイプの下部の内面に被締結部位が形成される。被締結部位に締結部材を締結することによって脚ゴムを脚パイプに取り付ける。
【０００６】
好ましくは、脚パイプの下部の内面に被締結部位としてネジ溝を形成される。ネジ溝に螺合するボルトを締結部材として脚ゴムを脚パイプに取り付ける。
【０００７】
好ましくは、脚ゴムには、脚ゴムよりも硬く、中央部に穴が形成される部材が取り付けられる。ボルトは穴を挿通して、部材を脚パイプに押し付ける。
【０００８】
好ましくは、脚パイプは、内側のパイプと外側のパイプとを含む。内側のパイプの下部の内周面にネジ溝が形成される。
【０００９】
この発明の別の局面に従うと、上記の脚ゴムの取付構造を有する高さ調整可能な脚部材が提供される。脚部材は、脚パイプを摺動可能に内包する内側パイプと、内側パイプを支持する外側パイプとを備える。
【００１０】
この発明の別の局面に従うと、上記の脚部材と、複数の脚部材の外側パイプの上部を互いに連結するための複数の連結フレームとを備える支持フレームが提供される。
【００１１】
好ましくは、連結フレームは溶接によって外側パイプに固設される。脚パイプの上端部は、内側パイプの内部を溶接個所よりも上方まで摺動可能に構成される。
【００１２】
この発明の別の局面に従うと、上記の支持フレームと、支持フレームに支持される台部と、を備える浴槽台が提供される。
【００１３】
本発明にいう「締結部材」は、JIS規格に定義される「ねじ」を含むものであり、めねじを必要としないもの及び特殊ネジ等その他通常ねじと呼称されるものを含み、パイプ内面に圧入させて締結する締結部材等、締結部材を取り扱う当業者が用語として使用する全ての締結部材を含む概念である。また、本発明にいう「ボルト」は、ナットを必要としないものを含み、例えば、ねじの軸内を貫通する穴が形成された真空装置用ねじ等その他通常ボルトと呼称されるものを含む概念である。
【発明の効果】
【００１４】
以上のように、本発明によれば、利便性または信頼性または組立性の高い脚ゴムの取付構造または脚部材または支持フレームまたは浴槽台が提供される。
【図面の簡単な説明】
【００１５】
【図１】本実施の形態にかかる浴槽台１０の全体構成を示す上方斜視図である。
【図２】本実施の形態にかかる浴槽台１０の全体構成を示す下方斜視図である。
【図３】本実施の形態にかかる支持フレーム１００を示す下方斜視図である。
【図４】本実施の形態にかかる案内パイプ１１１から摺動パイプ１１３を抜いた状態の支持フレーム１００を示す（ａ）正面図と（ｂ）正面断面図である。
【図５】本実施の形態にかかる支持フレーム１００の上方斜視図である。
【図６】本実施の形態にかかるキャップ１１２と摺動パイプ１１３と脚ゴム部材１２０を取り付けた状態の支持フレーム１００の上方斜視図である。
【図７】本実施の形態にかかる脚ゴム部材１２０を取り付けた状態の摺動パイプ１１３を示す平面図である。
【図８】本実施の形態にかかる摺動パイプ１１３に脚ゴム部材１２０を取り付ける方法を示す正面断面図である。
【図９】本実施の形態にかかるキャップ１１４を取り付けた状態の摺動パイプ１１３を示す上方斜視図である。
【図１０】本実施の形態にかかる案内パイプ１１１に摺動パイプ１１３を固定した状態の支持フレーム１００を示す（ａ）正面図と（ｂ）正面断面図である。
【図１１】本実施の形態にかかる固定部材１１９を示す斜視図である。
【図１２】本実施の形態にかかる固定部材１１９を取り外して摺動パイプ１１３が摺動自在な状態の支持フレーム１００を示す（ａ）正面図と（ｂ）正面断面図である。
【図１３】本実施の形態にかかる摺動パイプ１１３が案内パイプ１１１の一番上まで挿入されて固定された状態の支持フレーム１００を示す（ａ）正面図と（ｂ）正面断面図である。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
［第１の実施の形態］
【００１７】
まず、本実施の形態にかかる浴槽台１０の全体構成について説明する。図１は、本実施の形態にかかる浴槽台１０の上方斜視図である。図２は、本実施の形態にかかる浴槽台１０の下方斜視図である。図１および図２を参照して、浴槽台１０は、複数の脚部材１１０と、当該複数の脚部材１１０によって所定の高さに保持される水平の台部２００とを含む。後述するように、本実施の形態にかかる浴槽台１０は、複数の脚部材１１０の長さを調節することが可能に構成されており、それによって台部２００の高さを調節することが可能になっている。
【００１８】
台部２００は、平面視において略正方形に形成される。そして、台部２００の４つの角のそれぞれの下方に４つの脚部材１１０，１１０，１１０，１１０が設けられる。ただし、台部２００は正方形に限らず、長方形や、円形や、その他の形状であってもよい。台部２００には、撥水性の高いカバーなどが着脱自在に取り付けられることが好ましい。
【００１９】
図２は、換言すれば、本実施の形態にかかる支持フレーム１００が取り付けられた状態の台部２００を示す下方斜視図である。図３は、支持フレーム１００を示す下方斜視図である。図２および図３を参照して、本実施の形態においては、４つの脚部材１１０，１１０，１１０，１１０が４つの連結フレーム１３１，１３１，１３１，１３１によって互いに固定されている。また補強フレーム１３２，１３２によって、連結フレーム１３１，１３１同士も固定される。４つの脚部材１１０，１１０，１１０，１１０と、４つの連結フレーム１３１，１３１，１３１，１３１と、補強フレーム１３２，１３２などによって、支持フレーム１００が構成される。そして、当該支持フレーム１００によって台部２００が支持される。
【００２０】
図４は、本実施の形態にかかる脚部材１１０の構成を示す（ａ）正面図と（ｂ）正面断面図である。図３および図４を参照して、各々の脚部材１１０は、主に、脚パイプとしての摺動パイプ１１３と、摺動パイプ１１３を上下方向に案内する案内パイプ１１１とを含む。そして、後述するように、案内パイプ１１１に対する摺動パイプ１１３の上下方向の位置を調整することによって、脚部材１１０の長さを調整し、その結果、台部２００の高さを調整することができる。
【００２１】
図５は、本実施の形態にかかる案内パイプ１１１，１１１，１１１，１１１と連結フレーム１３１，１３１，１３１，１３１との構成を示す上方斜視図である。図４と図５を参照して、各々の案内パイプ１１１は、案内用外パイプ１１１Ａと、案内用内パイプ１１１Ｂとを含む。案内用内パイプ１１１Ｂは、複数の支持部１１１Ｃ，１１１Ｃ，１１１Ｃ，１１１Ｃを介して案内用外パイプ１１１Ａの内側に支持される。連結フレーム１３１の端部は、案内用外パイプ１１１Ａの外周面に溶接される。案内用外パイプ１１１Ａと案内用内パイプ１１１Ｂには、高さ調節用の孔１１１Ｘが形成される。
【００２２】
本実施の形態においては、図６に示すように、各々の案内パイプ１１１の上端部には、キャップ１１２が取り付けられる。キャップ１１２には、複数の孔が形成される。
【００２３】
図４および図７を参照して、本実施の形態においては、摺動パイプ１１３も２重構造に形成されている。つまり、摺動パイプ１１３も、案内パイプ１１１と同様に、摺動用外パイプ１１３Ａと、摺動用内パイプ１１３Ｂとを含む。摺動用内パイプ１１３Ｂは、複数の支持部１１３Ｃ，１１３Ｃ，１１３Ｃを介して摺動用外パイプ１１３Ａの内側に支持される。
【００２４】
本実施の形態にかかる各々の摺動パイプ１１３は、高さ調節用の複数の調節孔１１３Ｘ，１１３Ｘ，１１３Ｘが形成される。より詳細には、高さ調節用の複数の調節孔１１３Ｘ，１１３Ｘ，１１３Ｘは、摺動用外パイプ１１３Ａのみに形成される。
【００２５】
図４（ｂ）に示すように、摺動用内パイプ１１３Ｂの下部には、その内面にネジ溝１１３Ｙが形成されている。
【００２６】
脚部材１１０の下部には、脚ゴム部材１２０が取り付けられる。脚ゴム部材１２０は、円盤状の脚ゴム本体１２１と、インサート成型によって脚ゴム本体１２１に内包されるステンレス製の円盤状のプレート１２２とを含む。そして、脚ゴム１２１とプレート１２２には、中央に穴が形成される。そして、脚ゴム１２１とプレート１２２の下方からボルト１２３を挿通し、ボルト１２３を摺動用内パイプ１１３Ｂのネジ溝１１３Ｙに螺合させることによって、プレート１２２を摺動用内パイプ１１３Ｂに締め付ける。このようにして、脚ゴム本体１２１を摺動パイプ１１３に固設する。
【００２７】
より詳細には、図８に示すようにして、摺動パイプ１１３に脚ゴム部材１２０を取り付ける。まず、図８（ａ）に示すように、脚ゴム１２１本体を摺動パイプ１１３の下端に当接させる。そして、図８（ｂ）に示すように、下方からスプリングワッシャ―１２４を挟みつつ、ボルト１２３のネジ部を脚ゴム１２１とプレート１２２の中央の孔に挿通させて、当該ボルト１２３を摺動用内パイプ１１３Ｂに螺合させる。これによって図８（ｃ）に示すように、ボルト１２３の頭部がプレート１２２を介して脚ゴム本体１２１を摺動パイプ１１３に押し付ける。これによって、脚ゴム部材１２０を摺動パイプ１１３に取り付ける。
【００２８】
脚ゴム部材１２０を摺動パイプ１１３に締結する構成を採用し、脚ゴム本体１２１を板状とすることにより、摺動パイプ１１３の下端を案内パイプ１１１の下端まで移動させることが可能となる。当該簡便な構成によって、例えば床面から１０ｃｍといった低床位置まで台部を高さ調整することが達成される。
【００２９】
なお本実施の形態においては、図９に示すように、摺動パイプ１１３にも、上端部にキャップ１１４が取り付けられる。キャップ１１４にも複数の孔が形成される。
【００３０】
図４に戻って、本実施の形態においては、摺動用外パイプ１１３Ａの下端部に、切り欠き１１３Ｚが形成される。これによって、摺動用外パイプ１１３Ａと摺動用内パイプ１１３Ｂの間に水が入っても、切り欠き１１３Ｚと脚ゴム部材１２０との間を通って外部に排出される。
【００３１】
ボルト１２３は、中央部に孔１２３Ｘが形成されている。これによって、摺動用内パイプ１１３Ｂの内側に水が入ったとしても、ボルト１２３の孔１２３Ｘを通って外部に排出される。
【００３２】
このように構成されているため、図１０に示すように、摺動パイプ１１３を案内パイプ１１１に挿入させた状態で、固定部材１１９を、案内パイプ１１１の調節孔１１１Ｘと摺動パイプ１１３の調節孔１１３Ｘとに差し込むことによって、案内パイプ１１１に対する摺動パイプ１１３の挿入量を固定する。
【００３３】
より詳細には、固定部材１１９は、図１１に示すように、案内用外パイプ１１１Ａの外周を挟み込むための挟持部１１９Ａと、案内パイプ１１１の調節孔１１１Ｘと摺動パイプ１１３の調節孔１１３Ｘとに貫通するピン１１９Ｂとを含む。特に本実施の形態においては、図１０に示すように、ピン１１９Ｂは、案内パイプ１１１の案内用外パイプ１１１Ａと案内用内パイプ１１１Ｂの両者の調節孔１１１Ｘと摺動パイプ１１３の摺動用外パイプ１１３Ａの調節孔１１３Ｘとを貫通し、摺動パイプ１１３の摺動用内パイプ１１３Ｂには当接しない程度の長さに形成されることが好ましい。
【００３４】
このように、案内パイプ１１１に対する摺動パイプ１１３の長さ調節機構が構成されているため、図１２に示すように、固定部材１１９を案内パイプ１１１から外すことによって、案内パイプ１１１に対して摺動パイプ１１３がスライド可能になり、ユーザは、所望の挿入量になるように、すなわち所望の台部２００の高さになるように、摺動パイプ１１３をスライドさせることができる。そして、所望の高さで、図１３に示すように、案内用外パイプ１１１Ａおよび案内用内パイプ１１１Ｂの調節孔１１１Ｘと摺動用外パイプ１１３Ａの調節孔１１３Ｘとに固定ピン１１９Ｂを挿入する。このようにして、浴槽台１０の高さを調節することができる。
【００３５】
本実施の形態においては、案内パイプ１１１が２重になっているため、案内用外パイプ１１１Ａに応力がかかっても、摺動パイプ１１３は案内用内パイプ１１１Ｂ内をスムーズに摺動することが可能になる。たとえば、案内用外パイプ１１１Ａに連結フレーム１３１が溶接されても、溶接によるひずみによる案内用内パイプ１１１Ｂに対する影響は小さく、摺動パイプ１１３は案内用内パイプ１１１Ｂ内をスムーズに摺動することが可能になる。
【００３６】
なお、本実施の形態にかかる摺動パイプ１１３や脚ゴム部材１２０や高さ調節機構や脚部材１１０や支持フレーム１００の構成は、浴槽台１０に限らず、浴槽で使用される椅子や棚やその他の用具の脚部にも適用することができる。また、パイプに脚ゴム部材を本実施の形態に係る締結構成で締結する、浴室用のその他の種類の用具にも適用することができる。
［まとめ］
【００３７】
上記の実施の形態においては、浴室内で利用するための装置１０の脚ゴム１２１の取付構造が提供される。脚パイプ１１３の下部の内面に被締結部位１１３Ｙが形成される。被締結部位１１３Ｙに締結部材１２３を締結することによって脚ゴム１２１を脚パイプ１１３に取り付ける。
【００３８】
好ましくは、脚パイプ１１３の下部の内面に被締結部位１１３Ｙとしてネジ溝１１３Ｙを形成される。ネジ溝１１３Ｙに螺合するボルト１２３を締結部材として脚ゴム１２１を脚パイプ１１３に取り付ける。
【００３９】
好ましくは、脚ゴム１２１には、脚ゴム１２１よりも硬く、中央部に穴が形成される部材１２２が取り付けられる。ボルト１２３は穴を挿通して、部材１２２を脚パイプ１１３に押し付ける。
【００４０】
好ましくは、脚パイプ１１３は、内側のパイプ１１３Ｂと外側のパイプ１１３Ａとを含む。内側のパイプ１１３Ｂの下部の内周面にネジ溝１１３Ｙが形成される。
【００４１】
この発明の別の局面に従うと、上記の脚ゴム１２１の取付構造を有する高さ調整可能な脚部材１１０が提供される。脚部材１１０は、脚パイプ１１３を摺動可能に内包する内側パイプ１１１Ｂと、内側パイプ１１１Ｂを支持する外側パイプ１１１Ａとを備える。
【００４２】
この発明の別の局面に従うと、上記の脚部材１１０，１１０，１１０，１１０と、複数の脚部材１１０，１１０，１１０，１１０の外側パイプ１１１Ａ，１１１Ａ，１１１Ａ，１１１Ａの上部を互いに連結するための複数の連結フレーム１３１，１３１，１３１，１３１とを備える支持フレーム１００が提供される。
【００４３】
好ましくは、連結フレーム１３１は溶接によって外側パイプ１１１Ａに固設される。脚パイプ１１３の上端部は、内側パイプ１１１Ｂの内部を溶接個所よりも上方まで摺動可能に構成される。
【００４４】
この発明の別の局面に従うと、上記の支持フレーム１００と、支持フレーム１００に支持される台部２００と、を備える浴槽台１０が提供される。
【００４５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００４６】
１０      ：浴槽台
１００    ：支持フレーム
１１０    ：脚部材
１１１    ：案内パイプ
１１１Ａ  ：案内用外パイプ
１１１Ｂ  ：案内用内パイプ
１１１Ｃ  ：支持部
１１１Ｘ  ：調節孔
１１２    ：キャップ
１１３    ：摺動パイプ
１１３Ａ  ：摺動用外パイプ
１１３Ｂ  ：摺動用内パイプ
１１３Ｃ  ：支持部
１１３Ｘ  ：調節孔
１１３Ｙ  ：ネジ溝
１１３Ｚ  ：切り欠き
１１４    ：キャップ
１１９    ：固定部材
１１９Ａ  ：挟持部
１１９Ｂ  ：固定ピン
１２０    ：脚ゴム部材
１２１    ：脚ゴム本体
１２２    ：プレート
１２３    ：ボルト
１２３Ｘ  ：孔
１３１    ：連結フレーム
１３２    ：補強フレーム
２００    ：台部
【図１】
2019058300.tif 000003
【図２】
2019058300.tif 000004
【図３】
2019058300.tif 000005
【図４】
2019058300.tif 000006
【図５】
2019058300.tif 000007
【図６】
2019058300.tif 000008
【図７】
2019058300.tif 000009
【図８】
2019058300.tif 000010
【図９】
2019058300.tif 000011
【図１０】
2019058300.tif 000012
【図１１】
2019058300.tif 000013
【図１２】
2019058300.tif 000014
【図１３】
2019058300.tif 000015